(57)【要約】      （修正有）【課題】構成する板状部材が割れた際に、破片等が落下することを抑制できる壁用パネルを提案する。【解決手段】板状の板状部材２、２、２を複数有し、複数の板状部材２、２、２を直列に配列し、複数の板状部材２、２、２の裏面に亘って１枚の連結板３を固着し、連結板３の端部に水返し５を形成した壁用パネル１。板状部材２が破損した場合においても、その破片等は、連結板３に固着されたままの状態が保持され、破片等が落下することを抑制できる。【選択図】図２
0003229354.tif 000002
【実用新案登録請求の範囲】
【請求項１】
板状の板状部材を複数有し、該複数の板状部材を直列に配列し、該複数の板状部材の裏面に亘って１枚の連結板を固着し、該連結板の端部に水返しを形成したことを特徴とする壁用パネル。
【考案の詳細な説明】
【技術分野】
【０００１】
本考案は、壁用パネルに関するものである。
【背景技術】
【０００２】
石材等からなる板状部材を建物の外壁に取付ける取付構造として、その板状部材の上面と下面に溝を形成し、該溝と係合する係合部を有する取付金具を建物躯体の外面に取付けた後に、この取付金具の係合部に板状部材の溝を係合させて行うことが知られている（例えば、特許文献１参照）。
【先行技術文献】
【特許文献】
【０００３】
【特許文献１】特開２００３−１２９６４０
【考案の概要】
【考案が解決しようとする課題】
【０００４】
しかし、前記従来の取付構造では、板状部材が地震等で破損した際に、板状部材の破片等が落下する虞がある。
【０００５】
そこで、本考案は、板状部材が割れた際に、破片等が落下することを抑制できる壁用パネを提供することを目的とするものである。
【課題を解決するための手段】
【０００６】
前記の課題を解決するために、請求項１記載の考案は、板状の板状部材を複数有し、該複数の板状部材を直列に配列し、該複数の板状部材の裏面に亘って１枚の連結板を固着し、該連結板の端部に水返しを形成したことを特徴とする壁用パネルである。
【考案の効果】
【０００７】
本考案の壁用パネルは、複数の板状部材の裏面に亘って１枚の連結板を固着したことにより、板状部材が地震等により破損した場合に、破片等が連結板に固着された状態が維持され、破片等が落下することを抑制できる。
【図面の簡単な説明】
【０００８】
【図１】本考案の実施例における壁用パネルの正面図。
【図２】図１の斜視図。
【図３】建物躯体に対する壁用パネルの取付状態を示す縦断面図。
【図４】建物躯体に対する壁用パネルの取付方法を説明するための正面図。
【図５】本考案の実施例における壁用パネルの他例を示す正面図。
【図６】本考案の実施例における壁用パネルの他例を示す正面図。
【図７】本考案の実施例における壁用パネルの他例を示す正面図。
【考案を実施するための形態】
【０００９】
本考案を実施するための形態を図に基づいて説明する。
【００１０】
本考案の壁用パネル１は、図３に示すように、建物躯体１０の壁面に対して取付部材であるねじ１１を用いて固定されるものである。
【００１１】
壁用パネル１は、図１，２に示すように、天然石を切り出して板状に形成した３枚の石材で構成された板状部材２，２，２を有し、３枚の板状部材２，２，２は横方向に直列に配置されている。板状部材２は、石材以外にもレンガ等の任意の壁面用の建材で構成することができる。
【００１２】
板状部材２の形状を、図１〜図４に示す本実施例では、正面形状が長方形で板状に形成したが、板状であれば任意の正面形状に形成することができ、例えば、図５に示すように、五角形状に形成したり、図６に示すように、平行四辺形状に形成したり、図７に示すように、上側に方形状の部分を形成し、その下側に円弧状の部分を組み合わせて一体に形成することができる。
【００１３】
板状部材２には、その上部の左右に２カ所、表裏を貫通する貫通穴２ａが形成されている。
【００１４】
板状部材２の裏面には、図１〜図４に示すように、金属製の板材で長方形状に形成された連結板３が接着剤等の固定手段により固着されている。また、１枚の連結板３に対して、３枚の板状部材２，２，２が固定されている。
【００１５】
連結板３の一方の端部である右端は、図１に示すように、最も一方の端部側である右側に位置する板状部材２の一方の端である右端と略同じ位置に位置するようになっている。また、連結板３の他方の端部である左端は、図１に示すように、最も他方の端部側である左側に位置する板状部材２の他方の端である左端より左右方向の外側に位置するようになっている。
【００１６】
また、連結板３の上端は、図１に示すように、板状部材２の上端より上側に位置するようになっている。また、連結板３の下端は、図１に示すように、板状部材２の下端より上側に位置し、板状部材２の下部は、連結板３の下端より下側に突出している。
【００１７】
また、１つの壁用パネル１を構成する板状部材２の数を、図１〜図４に示す実施例では、３枚としたが、複数枚を横方向に直列に配列されていれば、構成する板状部材の枚数は任意に設定することができ、複数枚の板状部材の裏面に亘って、１枚の連結板３が固着されている。
【００１８】
連結板３の上端部には、板材の上端を、その左右方向全体に亘って、下側で、かつ、外側方向に曲折して、水返し５が形成され、水返し５は、板状部材２の上端より上側に位置している。
【００１９】
次に、壁用パネル１の取付方法について説明する。
【００２０】
先ず、上記の壁用パネル１を所定枚数準備する。
【００２１】
壁面パネル１を、板状部材２が横方向に直列に配列されるとともに、水返し５が上側に位置するように、ねじ１１を貫通穴２ａに挿通して、建物躯体１０の壁面における最も低い位置に固定する。同様に、固定した壁面パネル１の横方向に、所定枚数の壁面パネル１を、水返し５の高さが同じとなるように一列固定し、第１段を形成する。
【００２２】
次に、図４に示すように、第１段の壁面パネル１に対して、板状部材２の横方向の長さの約半分の長さずらした状態で、図３に示すように、壁面パネル１を、横方向に所定枚数固定した壁面パネル１の上方に、壁面パネル１の下端部が、固定した壁面パネル１の上端部の前側に重合的に位置するように、かつ、ねじ１１が外側から見えないように重合させて固定する。同様に、固定した壁面パネル１の横方向に、所定枚数の壁面パネル１を、水返し５の高さが同じとなるように一列固定し、第２段を形成する。
【００２３】
同様にして、建物躯体１０の壁面に対して、下側から上側に向かって複数段形成する。
【００２４】
壁用パネル１は上記の構造、構成を有することにより次の作用、効果を奏する。
【００２５】
壁用パネル１は、複数枚の板状部材２の裏面に対して、１枚の連結板３を接着剤等により固着したことにより、板状部材２が地震等により破損した場合においても、その破片等は、連結板３に固着されたままの状態が保持され、破片等が落下することを抑制できる。
【００２６】
また、連結板３の上端に水返し５を形成したことにより、下方から上方に吹き上がる風によって雨水等が、壁用パネル１の裏面側に侵入することを抑制することができる。
【００２７】
なお、上記実施例においては、連結板３の上端に水返し５を形成したが、連結板３の端部における任意の場所に水返しを形成することができる。
【符号の説明】
【００２８】
１  壁用パネル
２  板状部材
３  連結板
５  水返し
【図１】
0003229354.tif 000003
【図２】
0003229354.tif 000004
【図３】
0003229354.tif 000005
【図４】
0003229354.tif 000006
【図５】
0003229354.tif 000007
【図６】
0003229354.tif 000008
【図７】
0003229354.tif 000009